(57)【要約】【課題】位相コントラスト撮影を行う放射線画像撮影装置において、放射線遮蔽部材を使用する際における放射線画像検出器の着脱容易性を向上させる。【解決手段】本発明に係る乳房画像撮影装置１によれば、検出器保持部材１２における放射線画像検出器の着脱口に対応する位置に開口部が形成され、被写体台１０と検出器保持部材１２との間の空間を覆う第１の放射線遮蔽部材２１と、拡大率により被写体台１０と検出器保持部材１２との距離が長くなり被写体台１９と第１の放射線遮蔽部材２１との間に空間ができたとき、この空間を覆うための第２の放射線遮蔽部材２２を有する。【選択図】図２
2007130058.tif 000002
【特許請求の範囲】
【請求項１】
被写体に放射線を照射する放射線源と、前記放射線の照射方向前方位置に配置され、放射線画像検出器を着脱する着脱口を有する検出器保持部材と、前記被写体を載置するべく前記放射線源と前記検出器保持部材との間に配置された被写体台と、撮影倍率に応じて前記被写体台と前記検出器保持部材と間の距離を調節する調節部と、を備えた位相コントラスト撮影が可能な放射線画像撮影装置において、
前記被写体台と前記検出器保持部材との間の空間を覆う放射線遮蔽部材が設けられ、この放射線遮蔽部材の前記検出器保持部材における着脱口に対応する位置に、放射線画像検出器が通過可能な開口部が形成されていることを特徴とする放射線画像撮影装置。
【請求項２】
前記放射線遮蔽部材は、第１の撮影倍率の撮影時における前記被写体台と前記検出器保持部材との間の空間を覆う第１の放射線遮蔽部材と、前記被写体台と前記検出器保持部材と間の距離が前記第１の撮影倍率の撮影時よりも相対的に長い距離となる第２の撮影倍率の撮影時において前記第１の放射線遮蔽部材と前記被写体台との間に生じた空間を覆う第２の放射線遮蔽部材と、からなり、前記開口部は前記第１の放射線遮蔽部材に形成されていることを特徴とする請求項１に記載の放射線画像撮影装置。
【請求項３】
前記放射線源と前記検出器保持部材とを一定の距離に維持するための保持部材を備え、
前記調節部は、撮影倍率に応じて前記被写体台に対する前記放射線源及び前記検出器保持部材の相対距離を調節することを特徴とする請求項１又は２に記載の放射線画像撮影装置。
【発明の詳細な説明】
【技術分野】
【０００１】
本発明は、放射線画像撮影装置に係り、特に、位相コントラスト画像を撮影することが可能な放射線画像撮影装置に関する。
【背景技術】
【０００２】
一般に、放射線が物質を透過する作用を利用する放射線画像撮影装置は、医療用画像診断や非破壊検査等に広く利用されている。特に乳房撮影に用いられる放射線画像撮影装置については、通常、放射線画像検出器と一体化した被写体台上に被写体を固定し、撮影する方法が行われてきた。しかし、この方法によると被写体が実寸大で撮影されることとなるが、画像のコントラストが十分に上がらず、乳房の病変部分等の特定部位の微細な構造を判読するために用いられる医療用撮影装置としては画像の鮮明さが不十分であるという問題があった。
【０００３】
そこで、近年、位相コントラスト画像を撮影する放射線画像撮影装置が提案されている。位相コントラスト画像とは、屈折コントラスト画像とも呼ばれるもので、以前はＳＰｒｉｎｇ−８など放射線源から得る単色の平行放射線による撮影や、１０μｍ程度の焦点サイズをもつマイクロ焦点放射線源による撮影によって得られるものと言われていたが、一般の医療施設等で用いられる放射線源（焦点サイズが３０〜３００μｍの小焦点放射線源）でも得ることが可能であることが分かってきた。位相コントラスト画像は、通常の吸収コントラストのみの画像に比べ、被写体の境界のコントラストを高く描写でき、高精細な放射線画像を得ることが可能である。
【０００４】
この位相コントラスト画像を撮影するにあたっては、被写体と放射線画像検出器との間に一定の距離を設ける必要がある。そのため、例えば、乳房を撮影する放射線画像撮影装置においては、被写体を保持する被写体台と放射線画像検出器との間に空間が生じ、撮影を行う際にこの空間に被検者の体の一部が入りこみ、放射線が照射されて被爆する可能性がある。また、この空間に入り込んだ被検者の体やゴミ等が撮影した画像に写り込み、被写体の精緻な撮影を目的とする位相コントラスト撮影において障害となるという問題がある。
【０００５】
そこで、このような問題を解決するものとして、例えば、特許文献１には、図９に示すように、検出器保持部材１２の移動可能範囲であって検出器保持部材１２と被写体台１０との間隔を最大にしたときの検出器保持部材１２の位置に対応する長さ寸法を有し、被写体台１０の幅寸法とその幅が一致した放射線遮蔽部材２３を設けた乳房画像撮影装置が記載されている。また、特許文献１には、図１０（ａ）（ｂ）に示すように、被写体台１０の前端部の下方であって検出器保持部材１２の端部に接する位置に２枚の板が重なりあう構造を有する放射線遮蔽部材２３を設け、検出器保持部材１２がガイドレールにそって移動する際には、この放射線遮蔽部材２３の２枚の板が互いに摺接しながら検出器保持部材１２の異動に伴って、検出器保持部材１２の移動方向にスライドするようにした乳房画像撮影装置も記載されている。
【特許文献１】特開２００４−２２９９００号公報
【発明の開示】
【発明が解決しようとする課題】
【０００６】
しかしながら、特許文献１に記載の技術においては、検出器保持部材１２の放射線画像検出器の挿入側の端部が放射線遮蔽部材２３に接する構造となっているため、検出器保持部材１２における、放射線画像検出器を着脱するための着脱口側の端部が放射線遮蔽部材２３により塞がれてしまい、放射線画像検出器の着脱がしづらいといった問題があった。また、図１０に示す技術においては、２枚の放射線遮蔽部材２３の長さ寸法により、撮影可能な撮影倍率が制限されるという問題があった。
【０００７】
本発明の課題は、位相コントラスト撮影を行う放射線画像撮影装置において、放射線遮蔽部材を使用する際における放射線画像検出器の着脱容易性を向上させることである。
【課題を解決するための手段】
【０００８】
上記課題を解決するため、請求項１に記載の発明は、
被写体に放射線を照射する放射線源と、前記放射線の照射方向前方位置に配置され、放射線画像検出器を着脱する着脱口を有する検出器保持部材と、前記被写体を載置するべく前記放射線源と前記検出器保持部材との間に配置された被写体台と、撮影倍率に応じて前記被写体台と前記検出器保持部材と間の距離を調節する調節部と、を備えた位相コントラスト撮影が可能な放射線画像撮影装置において、
前記被写体台と前記検出器保持部材との間の空間を覆う放射線遮蔽部材が設けられ、この放射線遮蔽部材の前記検出器保持部材における着脱口に対応する位置に、放射線画像検出器が通過可能な開口部が形成されていることを特徴としている。
【０００９】
請求項２に記載の発明は、請求項１に記載の発明において、
前記放射線遮蔽部材は、第１の撮影倍率の撮影時における前記被写体台と前記検出器保持部材との間の空間を覆う第１の放射線遮蔽部材と、前記被写体台と前記検出器保持部材と間の距離が前記第１の撮影倍率の撮影時よりも相対的に長い距離となる第２の撮影倍率の撮影時において前記第１の放射線遮蔽部材と前記被写体台との間に生じた空間を覆う第２の放射線遮蔽部材と、からなり、前記開口部は前記第１の放射線遮蔽部材に形成されていることを特徴としている。
【００１０】
請求項３に記載の発明は、請求項１又は２に記載の発明において、
前記放射線源と前記検出器保持部材とを一定の距離に維持するための保持部材を備え、
前記調節部は、撮影倍率に応じて前記被写体台に対する前記放射線源及び前記検出器保持部材の相対距離を調節することを特徴としている。
【発明の効果】
【００１１】
請求項１に記載の発明によれば、位相コントラスト撮影を行う放射線画像撮影装置において、放射線遮蔽部材を使用する際における放射線画像検出器の着脱容易性を向上させることができる。
【００１２】
請求項２に記載の発明によれば、第１又は第２の何れの撮影倍率でも放射線遮蔽部材を使用した撮影を行うことができ、かつ、放射線遮蔽部材を使用したままで放射線画像検出器を容易に着脱することが可能となる。
【００１３】
請求項３に記載の発明によれば、放射線源と検出器保持部材とを一定の距離に維持するための保持部材を備えた放射線画像撮影装置において、放射線遮蔽部材を使用する際における放射線画像検出器の着脱容易性を向上させることができる。
【発明を実施するための最良の形態】
【００１４】
本実施の形態に係る乳房画像撮影装置１は、位相コントラスト撮影を行う放射線画像撮影装置である。以下、図を参照して乳房画像撮影装置１の構成について説明する。
図１〜３に、乳房画像撮影装置１の構成例を示す。図１は、第１の放射線遮蔽部材２１が装着された乳房画像撮影装置１の外観右側面図であり、図２は、第１の放射線遮蔽部材２１及び第２の放射線遮蔽部材２２が装着された乳房画像撮影装置１の外観右側面図である。図３は、図１、２に示す乳房画像撮影装置１の撮影装置本体部２の内部構成を模式化して示す図である。なお、図３において、操作装置１４、電源部１５、駆動装置１７及び駆動装置１９は本体部９の制御装置１６（図４に図示）に接続されているが、ここでは図示しない。図１、２に示すように、乳房画像撮影装置１は、本体部９に支持基台３が昇降自在に設けられており、支持基台３には、支持基台３に設けられた支軸４を介して撮影装置本体部２が支持されている。支持基台３は、モータ等により構成される駆動装置１７に駆動されて昇降する。撮影装置本体部２は、駆動装置１７による支持基台３の昇降により昇降可能となっており、また、駆動装置１７により前記支軸４を支点として回動可能となっている。
【００１５】
撮影装置本体部２の上部には放射線を放射するための放射線源６が設けられ、この放射線源６は、支軸４及び支持基台３を介して本体部９と接続されている電源部１５に接続されている。放射線源６は、この電源部１５によって管電圧及び管電流を印加されるようになっている。放射線源６の放射線放射口には、放射線照射野を調節する照射野調整装置としての絞り装置７の絞り口が、開閉自在に設けられている。
【００１６】
放射線源６としては、回転陽極Ｘ線管とすることが好ましい。この回転陽極Ｘ線管においては、陰極から放射される電子線が陽極に衝突することでＸ線が発生する。これは自然光のようにインコヒーレント（非干渉性）であり、また平行光Ｘ線でもなく発散光である。電子線が陽極の固定した場所に当り続けると、熱の発生で陽極が傷むので、通常用いられるＸ線管では陽極を回転して陽極の寿命の低下を防いでいる。電子線を陽極の一定の大きさの平面に衝突させ、発生したＸ線はその一定の大きさ陽極の平面から被写体Ｈに向けて放射される。この平面を焦点（フォーカス）と呼ぶ。焦点サイズＤ（μｍ）は、焦点が正方形の場合、その一辺の長さを、焦点が長方形や多角形の場合、その短辺の長さを、焦点が円形の場合、その直径をさす。
【００１７】
焦点サイズＤが大きくなるほど照射される放射線量が多くなる。人体を透過するには実用上一定以上の放射線量が必要であるため、乳房画像撮影装置１では、人体を撮影するのに必要な放射線量を照射可能な、焦点サイズＤがＤ≧３０（μｍ）の放射線源６であることが好ましい。
【００１８】
撮影装置本体部２の下部には、被写体Ｈを透過した放射線を検出する放射線画像検出器としての例えば輝尽性蛍光体シートを収納したカセッテを保持する検出器保持部材１２が被写体台１０の下方であって放射線源６の放射線照射方向前方位置に取り付けられている。検出器保持部材１２は、その正面に放射線画像検出器を着脱するための着脱口１２ｃ（図６参照）を有しており、この着脱口１２ｃから装着され、検出器保持部材１２に保持された放射線画像検出器の最上面は、検出器保持部材１２の最上面と一致する。放射線源６と検出器保持部材１２は、図３に示すように保持部材８に取り付けられており、この保持部材８により放射線源６と検出器保持部材１２との距離Ｌ（後述するＲ１＋Ｒ２）が一定距離に維持されている。この保持部材８は、モータ等により構成される駆動装置１９の駆動により被写体台１０の放射線照射面に対して垂直方向に移動可能となっており、駆動装置１９による保持部材８の移動により放射線源６及び検出器保持部材１２が一定距離を保ちつつ移動するようになっている。この放射線源６と検出器保持部材１２との距離Ｌは、撮影画像の出力時のエッジ強調効果（位相コントラスト効果）の視認性の点からＬ≧０．９５（ｍ）とすることが好ましい。
【００１９】
放射線画像検出器としては、上述の輝尽性蛍光体シートを収納したカセッテの他、例えば、スクリーン（増感紙）／フィルム、ＦＰＤ（flat panel detector）等を用いることとしてもよい。
【００２０】
撮影装置本体部２における放射線源６と検出器保持部材１２との間には、被写体Ｈを載置する被写体台１０及び被写体Ｈを上部から圧迫して固定するための圧迫板１１が配設されている。被写体台１０は、図３に示すように、撮影装置本体部２のホルダー５に取り付けられており、駆動装置１７による撮影装置本体部２の昇降に応じて昇降する。これにより、被写体Ｈの位置（乳房位置）に応じて被写体台１０の高さの調整が可能となっている。また、被写体台１０には、第２の放射線遮蔽部材２２の係止凸部２２ｃ（図７参照）を係合するための係合凹部１０ｃが設けられている。更に、被写体台１０の左右側面には、第２の放射線遮蔽部材２２の係止凸部２２ｃを係合凹部１０ｃに係合させたときに第２の放射線遮蔽部材２２の内面に設けられたマグネット２２ａ、２２ｂに対応する位置に磁性体金属板１０ａ、１０ｂが設けられている。
【００２１】
圧迫板１１は、撮影装置本体部２内に設けられた図示しない支持軸に沿って移動可能に構成されている。
圧迫板１１の位置は、位置検知部１８（図４に図示）により検知され、本体部９の制御装置１６に出力される。位置検知部１８としては、赤外線を用いた測光による方式、圧迫板１１をスライドする支持軸のレールに線抵抗を設けて、その抵抗値測定から位置判別する方式などが採用できる。
【００２２】
検出器保持部材１２の被写体台１０に対向する面と反対の面には、照射された放射線量の検出を行う放射線量検出部１３が設けられ、この放射線量検出部１３により検出された放射線量は本体部９の制御装置１６に出力される。
【００２３】
本体部９は、ＣＰＵ（Central Processing Unit）、ＲＯＭ(Read Only Memory)、ＲＡＭ（Random Access Memory）により構成される制御装置１６を備えている。図４に、乳房画像撮影装置１の機能構成例を示す。図４に示すように、制御装置１６には、照射された放射線量を検出する放射線量検出部１３、撮影条件等の入力を行うキーボードやタッチパネル、被写体台１０の位置の調整を行うための位置調整スイッチ（上方に調整する上方調整スイッチ、下方に調整する下方調整スイッチ）等を備える入力装置１４ａ、及びＣＲＴディスプレイや液晶ディスプレイ等の表示装置１４ｂを有する操作装置１４、装置の動力源である電源部１５、支持基台３の昇降による撮影装置本体部２の昇降及び撮影装置本体部２の回転を行う駆動装置１７、圧迫板１１の位置を検知する位置検知部１８、及び保持部材８の移動を行う駆動装置１９がバス２０を介して接続されている。
【００２４】
制御装置１６のＲＯＭには、乳房画像撮影装置１各部を制御するための制御プログラムが記憶されており、ＣＰＵは、この制御プログラムとの協働により乳房画像撮影装置１各部の動作を統括的に制御し、位相コントラスト撮影を行う。例えば、ＣＰＵは、撮影技師等の操作者により入力装置１４ａが操作され、撮影方向を含む撮影条件が入力されると、入力された撮影方向が撮影装置本体部２の回転を必要とする撮影方向であるか否かを判断し、回転を必要とする撮影方向である場合、例えば、乳房を斜位方向から撮影するＭＬＯ（Medio-Lateral Oblique）である場合、駆動装置１７を制御し、撮影装置本体部２全体を所定量回転する。また、ＣＰＵは、入力装置１４ａの位置調整スイッチが押下されると、これに応じて駆動装置１７を制御して被写体台１０の位置を調整し、操作者により圧迫板１１の位置が調整されて被写体Ｈが押圧、固定され、入力装置１４ａにより位相コントラスト撮影における拡大率が入力されると、被写体台１０及び圧迫板１１の位置及び入力された拡大率に応じて駆動装置１９を制御して保持部材８を被写体台１０の放射線照射面に対して垂直方向に移動させることにより、被写体台１０に対する放射線源６及び検出器保持部材１２の相対的距離を調節する。そして、入力装置１４ａにより撮影が指示されると、電源部１５により、放射線源６に管電圧及び管電流を印加して被写体Ｈに対して放射線を照射させ、放射線量検出部１３から入力された放射線量が予め設定された放射線量に達すると、電源部１５により放射線源６からの放射線の照射を停止させる。
【００２５】
制御装置１６が駆動装置１９を制御して保持部材８を移動させることで、被写体台１０に対する放射線源６と検出器保持部材１２の相対距離を調節する調節部が実現される。
【００２６】
ここで、図５を参照して位相コントラスト撮影の原理について説明する。位相コントラスト撮影とは、被写体Ｈと放射線画像検出器との間に一定の距離Ｒ２を設けることで、図５に示すように放射線の屈折に起因するエッジ強調（屈折コントラスト強調）画像を得るものである。図５で模式的に描くように、放射線が物体を通過するときに屈折して物体の境界内側の放射線密度が疎になり、さらに物体の外側は物体を通過しない放射線と重なることから放射線密度が上昇する。このようにして被写体境界部分であるエッジが画像として強調される。これは物体と空気との放射線に対する屈折率の差から生じる現象である。これがエッジ強調画像である。
【００２７】
さらに図５で原理的に示す空気と被写体との境界でのエッジ強調のみならず、物体内においても屈折率の異なる部分の境界部分も同様な効果が得られる。本発明での被写体境界部分とは放射線の屈折率の異なる物質との境界部分と表現することができる。
【００２８】
位相コントラスト撮影を行うと、放射線源６から被写体Ｈまでの距離をＲ１、被写体Ｈと放射線画像検出器との距離をＲ２とすると拡大率＝（Ｒ１＋Ｒ２）／Ｒ１の撮影倍率での拡大撮影となる。Ｒ１については、その起点は放射線源６の焦点の位置であり、通常の市販の放射線源６にはその場所が明示されている。また終点は被写体位置を固定する被写体台１０により固定された被写体Ｈの中心線であり、ここでは被写体台１０と圧迫板１１から等距離にある位置を被写体Ｈの中心線としている。Ｒ２については起点は被写体Ｈの中心線であり、終点は放射線画像検出器の放射線を受ける平面の最上面、即ち、検出器保持部材１２の最上面である。
本実施の形態において、乳房画像撮影装置１は、１．４６倍、１．７５倍、２．６３倍の何れかの拡大率（撮影倍率）で撮影するものとする。
【００２９】
位相コントラスト撮影においては、上述したように、拡大率に応じて、被写体台１０と検出器保持部材１２との間に一定の距離Ｒ２を設けるが、この被写体台１０と検出器保持部材１２との間の空間から被写体Ｈを提供する被検者の撮影部位以外の部位が被爆したり、画像へ写り込んだりすることを防止するため、被写体１０と検出器保持部材１２との間の空間を覆う放射線遮蔽部材が設けられる。この放射線遮蔽部材は、鉛又は鉛ガラスで形成される。その他、強度を上げるために樹脂と鉛とを合板としたり、鉄やステンレス等の金属板と鉛とを合板したりしたものであってもよい。
【００３０】
本実施の形態において、乳房画像撮影装置１は、拡大率に応じて、第１の放射線遮蔽部材２１及び／又は第２の放射線遮蔽部材２２を着脱可能に構成されている。
以下、図６〜図８を参照しながら、第１の放射線遮蔽部材２１及び第２の放射線遮蔽部材２２について説明する。
【００３１】
図６は、被写体台１０、検出器保持部材１２及び第１の放射線遮蔽部材２１を模式的に示す図である。図６に示すように、第１の放射線遮蔽部材２１は、検出器保持部材１２に装着可能に構成され、乳房画像撮影装置１における最小拡大率（第１の撮影倍率：ここでは、１．４６倍）の設定時に、被写体台１０と検出器保持部材１２との間の空間を覆うように、その高さｈ１、幅ｗ１、奥行きｗ２が定められている。この第１の放射線遮蔽部材２１は、ネジ穴２１ａ及び２１ｂを有しており、ネジ穴２１ａを検出器保持部材１２に設けられたネジ穴１２ａに、ネジ穴２１ｂをネジ穴１２ｂ（図示略）に合わせてそれぞれのネジを挿入することで、検出器保持部材１２に固定することができる。第１の放射線遮蔽部材２１を検出器保持部材１２に装着し、最小拡大率での撮影用に被写体台１０と放射源６及び検出器保持部材１２との相対的距離を調節すると、乳房画像撮影装置１は、図１に示す状態となる。
【００３２】
なお、乳房画像撮影装置１は、位相コントラスト撮影を行うものであり、何れの拡大率においても第１の放射線遮蔽部材２１の装着が必要となるので、第１の放射線遮蔽部材２１は、常時乳房画像撮影装置１に装着された状態となっている。吸収コントラスト撮影を行うときには、第１の放射線遮蔽部材２１を取り外すことにより、その撮影を行うことが可能である。
【００３３】
また、第１の放射線遮蔽部材２１には、検出器保持部材１２に装着したときに、検出器保持部材１２の着脱口１２ｃに対応する位置に開口部２１ｃが形成されている。この開口部２１ｃを介して、第１の放射線遮蔽部材２１を装着した状態で検出器保持部材１２の着脱口１２ｃから放射線画像検出器を着脱することが可能となっている。
【００３４】
図７（ａ）は、被写体台１０及び第２の放射線遮蔽部材２２を側面から見た模式図、図７（ｂ）は、第２の放射線遮蔽部材２２を上面から見た模式図、図８（ａ）は、第１の放射線遮蔽部材２１及び第２の放射線遮蔽部材２２を装着した状態を側面から見た模式図、図８（ｂ）は、第１の放射線遮蔽部材２１及び第２の放射線遮蔽部材２２を装着した状態を正面から見た模式図である。第２の放射線遮蔽部材２２は、被写体台１０に装着されるものであり、図７（ａ）（ｂ）に示すように、その被写体台１０側端部には、被写体台１０の係合凹部１０ｃと係合可能な断面フック状の係止凸部２２ｃが設けられ、被写体台１０への装着時に被写体台１０と重なる位置に固定部材としてのマグネット２２ａ、２２ｂが設けられている。第２の放射線遮蔽部材２２の係止凸部２２ｃを被写体台１０の係合凹部１０ｃに係合させることにより、マグネット２２ａ、２２ｂが被写体台１０の磁性体金属板１０ａ、１０ｂに吸着する。この係止凸部２２ｃと係合凹部１０ｃとの係合、マグネット２２ａと磁性体金属板１０ａとの吸着、及びマグネット２２ｂと磁性体金属板１０ｂとの吸着により、第２の放射線遮蔽部材２２を被写体台１０に固定することができる。
【００３５】
第２の放射線遮蔽部材２２は、拡大率が第１の撮影倍率である最低拡大率より大きい拡大率（第２の撮影倍率）に設定され、被写体台１０と検出器保持部材１２との距離が最低拡大率のときよりも長くなり、被写体台１０と第１の放射線遮蔽部材２１との間に空間ができてしまう場合に、この空間を覆うためのものであり、拡大率に応じて（ここでは、拡大率１．７６倍又は２．６３倍に応じて）、被写体台１０と第１の放射線遮蔽部材２１との間の空間を覆うように高さｈ２が定められている。最小拡大率より大きい、撮影可能な拡大率が複数ある場合には、拡大率毎に第２の放射線遮蔽部材２２を用意しておいてもよいし、撮影可能な最大の拡大率に応じた高さをもつ第２の放射線遮蔽部材２２を用意しておくようにしてもよい。最小拡大率より大きい拡大率での撮影用に、被写体台１０と放射源６及び検出器保持部材１２との相対的距離を調節し、第１の放射線遮蔽部材２１及び第２の放射線遮蔽部材２２を装着すると、乳房画像撮影装置１全体は、図２に示す状態となる。
【００３６】
第１の放射線遮蔽部材２１及び第２の放射線遮蔽部材２２を装着した状態においても、図８（ｂ）に示すように、開口部２１ｃを介して、検出器保持部材１２の着脱口１２ｃから放射線画像検出器を着脱することが可能となっている。
【００３７】
上記構成により、位相コントラスト撮影時には、撮影技師等の操作者が第１の放射線遮蔽部材２１の開口部２１ｃを介して検出器保持部材１２に放射線画像検出器を装着し、操作者が入力装置１４ａの位置調整スイッチの操作及び撮影方向の入力を行うと、操作者の操作に応じて、制御装置１６により駆動装置１７が制御され、被写体Ｈの高さ及び撮影方向に応じた位置に被写体台１０が調整される。被写体Ｈのポジショニング後、操作者が入力装置１４ａから拡大率を入力し、圧迫板１１の位置を設定すると、制御装置１６により駆動装置１９が制御され、拡大率に応じて保持部材８が移動されることにより、放射線源６と検出器保持部材１２との相対的距離が一定の距離が維持されつつ、被写体台１０に対する放射線源６及び検出器保持部材１２の相対的距離が調節される。そして、操作者は、拡大率により必要があれば拡大率に応じた第２の放射線遮蔽部材２２を装着し、入力装置１４ａにより撮影指示を行う。第２の放射線遮蔽部材２２の装着時には、操作者は、第２の放射線遮蔽部材２２の係止凸部２２ｃを被写体台１０の係合凹部１０ｃに係合させるだけで良い。撮影が指示されると、制御装置１６により、撮影が行われる。撮影時には、放射線遮蔽部材２１及び／又は放射線遮蔽部材２２により、被写体台１０及び検出器保持部材１２間の放射線照射領域内への外部からの侵入を防止することができ、これにより、患者の撮影部位以外の部位の被爆や画像への写り込みを防止することができる。
【００３８】
以上説明したように、乳房画像撮影装置１によれば、放射線遮蔽部材を、開口部２１ｃを有する、全拡大率共通の第１の放射線遮蔽部材と、拡大率に応じて着脱可能な第２の放射線遮蔽部材としたことで、何れの拡大率でも必要となる第１の放射線遮蔽部材２１を乳房画像撮影装置１に装着したままで、容易に放射線画像検出器の検出器保持部材１２への着脱を行うことができ、放射線遮蔽部材を使用する際における放射線画像検出器の着脱容易性を向上させることが可能となる。
【００３９】
なお、上記実施の形態における記述内容は、本発明に係る乳房画像撮影装置１の好適な一例であり、これに限定されるものではない。
【００４０】
例えば、上記第１及び第２の実施の形態においては、本発明を放射線源６と放射線画像検出器（検出器保持部材１２）との距離Ｌ（Ｒ１＋Ｒ２）を固定とした構成の乳房画像撮影装置に適用した場合を例にとり説明したが、Ｒ１を固定とし、撮影倍率に応じてＲ２を移動させる構成の乳房画像撮影装置に適用することもできる。
【００４１】
その他、乳房画像撮影装置１の細部構成及び細部動作に関しても、本発明の趣旨を逸脱することのない範囲で適宜変更可能である。
【図面の簡単な説明】
【００４２】
【図１】第１の放射線遮蔽部材２１を装着した乳房画像撮影装置１の外観右側面を示す図である。
【図２】第１の放射線遮蔽部材２１及び第２の放射線遮蔽部材２２を装着した乳房画像撮影装置１の外観右側面を示す図である。
【図３】乳房画像撮影装置１の撮影装置本体部２の内部構成を模式的に示す図である。
【図４】乳房画像撮影装置１の機能的構成を示すブロック図である。
【図５】位相コントラスト撮影の原理を説明するための図である。
【図６】被写体台１０、検出器保持部材１２及び第１の放射線遮蔽部材２１を模式的に示す図である。
【図７】（ａ）は、被写体台１０及び第２の放射線遮蔽部材２２を右側面から見た模式図、（ｂ）は、第２の放射線遮蔽部材２２を上面から見た模式図である。
【図８】（ａ）は、第１の放射線遮蔽部材２１及び第２の放射線遮蔽部材２２を装着した状態を右側面から見た模式図、（ｂ）は、第１の放射線遮蔽部材２１及び第２の放射線遮蔽部材２２を装着した状態を正面から見た模式図である。
【図９】従来の技術を説明するための図である。
【図１０】従来の技術を説明するための図である。
【符号の説明】
【００４３】
１  乳房画像撮影装置
２  撮影装置本体部
３  支持基台
４  支軸
５  ホルダー
６  放射線源
７  絞り装置
８  保持部材
９  本体部
１０  被写体台
１０ａ、１０ｂ  磁性体金属板
１０ｃ  係合凹部
１１  圧迫板
１２  検出器保持部材
１２ａ、１２ｂ  ネジ穴
１２ｃ  着脱口
１３  放射線量検出部
１４  操作装置
１４ａ  入力装置
１４ｂ  表示装置
１５  電源部
１６  制御装置
１７  駆動装置
１８  位置検知部
１９  駆動装置
２０  バス
２１  第１の放射線遮蔽部材
２１ａ、２１ｂ  ネジ穴
２１ｃ  開口部
２２  第２の放射線遮蔽部材
２２ａ、２２ｂ  マグネット
２２ｃ  係止凸部
【図１】
2007130058.tif 000003
【図２】
2007130058.tif 000004
【図３】
2007130058.tif 000005
【図４】
2007130058.tif 000006
【図５】
2007130058.tif 000007
【図６】
2007130058.tif 000008
【図７】
2007130058.tif 000009
【図８】
2007130058.tif 000010
【図９】
2007130058.tif 000011
【図１０】
2007130058.tif 000012